(57)【要約】【課題】利用者が所有しているＩＣカードを用いて階段が積極的に利用されるようにする。【解決手段】カードＩＤを記憶したＩＣカード１０と、高低差のある階段に設置しカードＩＤを読み取るターミナル２０Ａ１と、読み取ったカードＩＤとカードＩＤを読み取ったターミナル２０Ａ１を特定するＩＤとをコンピュータネットワーク網４０に送信するためにターミナル２０Ａ１とコンピュータネットワーク網４０とに接続した統括コンピュータ３０Ａと、カードＩＤとターミナル２０Ａ１を特定するＩＤとからＩＣカード１０の利用者の累積歩行高低量を演算するメインサーバ５０と、メインサーバ５０からコンピュータネットワーク網４０を介して送信された利用者の累積歩行高低量を報知するディスプレイ６０Ａ１と、を有する。【選択図】図１
2011081435.tif 000002
【特許請求の範囲】
【請求項１】
カードＩＤを記憶したカード型記憶媒体と、
高低差のある歩行路に設置し前記カードＩＤを読み取るターミナルと、
読み取った前記カードＩＤと前記カードＩＤを読み取った前記ターミナルを特定するＩＤとをコンピュータネットワーク網に送信するために前記ターミナルと前記コンピュータネットワーク網とに接続した統括コンピュータと、
前記カードＩＤと前記ターミナルを特定するＩＤとから前記カード型記憶媒体の利用者の累積歩行高低量を演算するメインサーバと、
前記メインサーバから前記コンピュータネットワーク網を介して送信された前記利用者の累積歩行高低量を報知する報知手段と、
を有することを特徴とする累積歩行高低量報知システム。
【請求項２】
前記メインサーバは、
前記ターミナルを特定するＩＤと関連付けて前記ターミナルが設置されている歩行路の高低差を記憶する階段データベースと、
前記読み取ったカードＩＤと関連付けて累積歩行高低量、各山に割り当てられた山ＩＤおよび利用者の固有ＩＤとを記憶する累積歩行高低差データベースと、
前記山ＩＤと関連付けて山名とその山名の標高とを記憶する山の高さデータベースとを備えて、
前記メインサーバは、前記カードＩＤから利用者の現在までの累積歩行高低量を取得し前記ターミナルを特定するＩＤから利用者が登ろうとしているまたは登った階段の高低差を取得して、利用者の現在までの累積歩行高低量に利用者が登ろうとしているまたは登った階段の高低差を加えることによって、最新の累積歩行高低量を演算することを特徴とする請求項１に記載の累積歩行高低量報知システム。
【請求項３】
前記メインサーバは、最新の累積歩行高低量を山の高さデータベースに記憶されている標高と比較してその標高に該当する山ＩＤを取得し、取得した山ＩＤから山名を、前記コンピュータネットワーク網を介して送信し、当該山名を前記報知手段に報知させることを特徴とする請求項２に記載の累積歩行高低量報知システム。
【請求項４】
さらに、前記コンピュータネットワーク網に接続したユーザーＰＣを備え、ユーザーＰＣで入力した利用者の固有ＩＤを前記累積歩行高低差データベースの固有ＩＤと照合し、利用者の最新の累積歩行高低量と山名を前記ユーザーＰＣに表示させることを特徴とする請求項２または３に記載の累積歩行高低量報知システム。
【請求項５】
前記高低差のある歩行路は、階段、坂道、登山道のいずれかであることを特徴とする請求項１から３のいずれかに記載の累積歩行高低量報知システム。
【発明の詳細な説明】
【技術分野】
【０００１】
本発明は、たとえばＩＣカードを使用した累積歩行高低量報知システムに係り、具体的には、非接触型ＩＣカードの利用者が登り降りした歩行路（階段、坂道、登山道）の高低量（高低差）を累積し、現時点までの歩行高低量を知ることができる累積歩行高低量報知システムに関する。
【背景技術】
【０００２】
従来、地下鉄やＪＲの改札は、下記特許文献１に開示されているように、非接触型ＩＣカード（ＳｕｉｃａやＰＡＳＭＯ）を用いて行なっている。一方、地下鉄やＪＲの駅には、多くのエスカレータやエレベーターなどの昇降機が設置されている。
【先行技術文献】
【特許文献】
【０００３】
【特許文献１】特開２００７−２５７１１２号公報
【発明の概要】
【発明が解決しようとする課題】
【０００４】
たとえば都営大江戸線のように、地下深くにある地下鉄の駅では、地上と駅をエスカレータやエレベーターなどの昇降機またはその隣に併設した階段で結んでいる。しかし、地上と駅との高低差が大きいため、エスカレータの利用率に比較して階段の利用率は少ない。
【０００５】
また、近年、環境問題の関心が高まるにつれて、省エネ思考、二酸化炭素の排出抑制の思考が広まりつつある。さらに、今後の少子高齢化の時代の到来に備えて、医療費の削減が要請されている。
【０００６】
そこで、発明者らは、普及している非接触型ＩＣカードを利用して階段の利用率を向上させ、昇降機の負荷を軽減させて省エネ思考および二酸化炭素の排出抑制の思考に応え、さらに、積極的に身体を動かす機会を与えて、医療費の削減の要請に応えることができるシステムを創り出すことができないものかと試行錯誤を重ねた。
【０００７】
その結果、駅の階段に、自動改札機と同一原理で動作するターミナルを設置して、そのターミナルに非接触型ＩＣカードをかざすことによって、階段の歩行高低量を累積し、現在までどの程度の高低差を登り降りしたのかを階段の利用者に知らせることができるシステムを着想するに至った。
【０００８】
本発明は、利用者が現在所有しているＩＣカードを用いることによって、高低差のある歩行路が積極的に利用されるようにようにした累積歩行高低量報知システムの提供を目的とする。
【課題を解決するための手段】
【０００９】
上記目的を達成するための本発明は、カード型記憶媒体、ターミナル、統括コンピュータ、メインサーバおよび報知手段を備える。
【００１０】
カード型記憶媒体は利用者が改札を通過するときにも使用できるものであってカードＩＤを記憶している。
【００１１】
ターミナルはたとえば駅の階段などの高低差のある歩行路に設置してカード型記憶媒体のカードＩＤを読み取る。
【００１２】
統括コンピュータはたとえば駅の構内に設置されてターミナルとコンピュータネットワーク網とに接続される。ターミナルが読み取ったカードＩＤとそのカードＩＤを読み取ったターミナルを特定するためのＩＤとをコンピュータネットワーク網に送信する。
【００１３】
メインサーバはコンピュータネットワーク網を介して送られたカードＩＤとターミナルを特定するためのＩＤとからカード型記憶媒体の利用者の累積歩行高低量を演算する。
【００１４】
報知手段はメインサーバからコンピュータネットワーク網を介して送信された利用者の累積歩行高低量を利用者に報知する。
【発明の効果】
【００１５】
カード型記憶媒体の利用者は、報知手段によって現時点での累積歩行高低量を把握することができる。このため、累積歩行高低量をさらに大きくしたいと考える利用者が増加し、高低差のある歩行路の利用率が高まる。
【００１６】
その結果、省エネ思考、二酸化炭素の排出抑制および医療費の削減に貢献できるようになる。
【図面の簡単な説明】
【００１７】
【図１】実施形態１に係る累積歩行高低量報知システムの概略構成を示すブロック図である。
【図２】ＩＣカードの概略構成図である。
【図３Ａ】ＩＣカードの外観図である。
【図３Ｂ】ＩＣカードの外観図である。
【図３Ｃ】ＩＣカードの外観図である。
【図３Ｄ】ＩＣカードの外観図である。
【図４】ターミナルとディスプレイの設置位置関係およびディスプレイの表示内容の一例を示す図である。
【図５】各ターミナルにターミナルを特定するＩＤとして割り当てられているＩＤの種類の説明図である。
【図６】統括コンピュータの概略構成を示すブロック図である。
【図７】メインサーバの概略構成を示すブロック図である。
【図８】階段ＤＢの具体的な構成を示す図である。
【図９】累積歩行高低量ＤＢの具体的な構成を示す図である。
【図１０】山の高さＤＢの具体的な構成を示す図である。
【図１１】累積歩行高低量報知システムの動作フローチャートである。
【図１２】累積歩行高低量報知システムの動作フローチャートである。
【図１３】累積歩行高低量報知システムの動作フローチャートである。
【発明を実施するための形態】
【００１８】
次に、本発明に係る累積歩行高低量報知システムについて詳細に説明する。なお、以下で説明する実施形態は、本発明の理解を容易にするために例示したものである。したがって、以下で説明する実施形態の記載内容によって、特許請求の範囲に記載されている発明の技術的範囲が限定されるものと解してはならない。
［実施形態１］
実施形態１として説明する累積歩行高低量報知システムは、鉄道の駅構内に設置して、利用者が登った階段の累積歩行高低量（累積高低差）を知ることができ、さらに階段を山に見立てて、利用者が現在どの山を登頂中であるのかも知ることができるシステムである。
［累積歩行高低量報知システムの構成］
図１は、実施形態１に係る累積歩行高低量報知システムの概略構成を示すブロック図である。
【００１９】
本実施形態に係る累積歩行高低量報知システムは、ＩＣカード１０、ターミナル２０Ａ１〜２０Ａ３、２０Ｂ１〜２０Ｂ３、統括コンピュータ３０Ａ、３０Ｂ、コンピュータネットワーク網４０、メインサーバ５０、ディスプレイ６０Ａ１〜６０Ａ３、６０Ｂ１〜６０Ｂ３、ユーザーＰＣ７０で構成される。
【００２０】
ＩＣカード１０は、「カードＩＤ」を記憶したカード型記憶媒体であって、本実施形態では現在一般的に使用されているＳｕｉｃａやＰＡＳＭＯなどの非接触型ＩＣカードを例示している。
【００２１】
ターミナル２０Ａ１〜２０Ａ３、２０Ｂ１〜２０Ｂ３は、高低差のある歩行路に設置しＩＣカード１０に記憶されているカードＩＤを読み取る。ターミナル２０Ａ１〜２０Ａ３は、地下鉄大江戸線の新宿駅の３箇所の階段にそれぞれ設置する。また、ターミナル２０Ｂ１〜２０Ｂ３は、地下鉄大江戸線の六本木駅の３箇所の階段にそれぞれ設置する。１つのターミナルは、階段を上り始める所、上り終わる所、踊り場のいずれか１箇所に設置する。ターミナルは、階段を上る人のスムースな歩行を可能にするために、階段を上り始める所、上り終わる所のいずれかに設置することが好ましい。
【００２２】
統括コンピュータ３０Ａ、３０Ｂは、それぞれ地下鉄大江戸線の新宿駅と六本木駅に設置される。統括コンピュータ３０Ａ、３０Ｂは、コンピュータネットワーク網４０を介して相互に接続される。ターミナル２０Ａ１〜２０Ａ３、２０Ｂ１〜２０Ｂ３にはそれぞれのターミナルを特定するＩＤとして「ターミナルＩＤ」が付与されている。本実施形態では、1つの駅に複数のターミナルを設置した場合を例示しているので、ターミナルを特定するＩＤとして「ターミナルＩＤ」を用いている。しかし、1つの駅に1つのターミナルを設置する場合には、ターミナルを特定するＩＤとしては「ターミナルＩＤ」に限らず、たとえば「駅ＩＤ」を用いても良い。どのターミナルにどの「ターミナルＩＤ」が付与されているのかは、統括コンピュータ３０Ａ、３０Ｂがそれぞれ記憶している。しかしながら、ターミナルＩＤはターミナル自体が記憶していても良い。統括コンピュータ３０Ａ、３０Ｂは、ターミナル２０Ａ１〜２０Ａ３、２０Ｂ１〜２０Ｂ３のいずれかで読み取った非接触型ＩＣカードのカードＩＤと、そのカードＩＤを読み取ったターミナルを特定するＩＤとの両方をコンピュータネットワーク網４０に送信する。
【００２３】
メインサーバ５０は、コンピュータネットワーク網４０を介して送信されてきたカードＩＤとターミナルを特定するＩＤとからＩＣカード１０の利用者の累積歩行高低量、登頂中の山名およびその利用者の固有ＩＤを演算する。この累積歩行高低量、登頂中の山名および固有ＩＤの演算のためにメインサーバ５０は３つのデータベースを備えている。このデータベースについては後で詳しく説明する。
【００２４】
ディスプレイ６０Ａ１〜６０Ａ３、６０Ｂ１〜６０Ｂ３は報知手段として機能するものである。ディスプレイ６０Ａ１〜６０Ａ３、６０Ｂ１〜６０Ｂ３は、メインサーバ５０からコンピュータネットワーク網４０を介して送信された利用者の累積歩行高低量、登頂中の山名および利用者の固有ＩＤを総括コンピュータ経由で報知する。ディスプレイ６０Ａ１〜６０Ａ３、６０Ｂ１〜６０Ｂ３は、利用者がＩＣカード１０をターミナル２０Ａ１〜２０Ａ３、２０Ｂ１〜２０Ｂ３にかざしたときに、その利用者が累積歩行高低量、登頂中の山名および固有ＩＤをすぐに見ることができるように、ターミナル２０Ａ１〜２０Ａ３、２０Ｂ１〜２０Ｂ３の近くに設置することが望ましい。
【００２５】
ユーザーＰＣ７０は、ＩＣカード１０の利用者が操作可能なコンピュータであって、通常は、その利用者の自宅に設置されている。ユーザーＰＣ７０は、その利用者が入力した固有ＩＤによって自宅からメインサーバ５０にアクセスし、その利用者の累積歩行高低量および登頂中の山名を表示する。
【００２６】
以上が本実施形態に係る累積歩行高低量報知システムの概略構成である。
【００２７】
次に、累積歩行高低量報知システムを構成するＩＣカード１０などの各構成要素についてさらに詳しく説明する。
【００２８】
図２はＩＣカード１０の概略構成図、図３Ａ〜図３Ｄは実際に発行するＩＣカード１０の外観図である。
【００２９】
図２に示すように、ＩＣカード１０は、各ＩＣカードに特有のカードＩＤを有している。カードＩＤは、ＩＣカード１０に設けられている記憶部１２に記憶されている。ターミナル２０Ａ１〜２０Ａ３、２０Ｂ１〜２０Ｂ３は、ＩＣカード１０が近くでかざされたときに、記憶部１２に記憶されているカードＩＤを読み取る。
【００３０】
図３Ａ〜図３Ｄは、実際に発行するＩＣカード１０の外観を示している。図３Ａに示すＩＣカード１０は、利用者が駅の階段を上り、その登った高さ、すなわち累積歩行高低量が５９９ｍを超えた場合に、標高５９９ｍの高尾山を登頂し終わったと見立てて発行されるカードである。図３Ｂに示すＩＣカード１０は、累積歩行高低量が９３１ｍを超えた場合に、標高９３１ｍの六甲山を登頂し終わったと見立てて発行されるカードである。図３Ｃに示すＩＣカード１０は、累積歩行高低量が６９６２ｍを超えた場合に、標高６９６２ｍのアコンカグアを登頂し終わったと見立てて発行されるカードである。図３Ｄに示すＩＣカード１０は、累積歩行高低量が８８４８ｍを超えた場合に、標高８８４８ｍのエベレストを登頂し終わったと見立てて発行されるカードである。
【００３１】
図４は、ターミナル２０Ａ１とディスプレイ６０Ａ１の設置位置関係およびディスプレイ６０Ａ１の表示内容の一例を示す図である。
【００３２】
図４に示すように、ディスプレイ６０Ａ１はターミナル２０Ａ１の近くに設置される。利用者がＩＣカード１０をターミナル２０Ａ１にかざしたときに、その利用者が累積歩行高低量および登頂中の山名をすぐに見ることができるようにするためである。
【００３３】
ディスプレイ６０Ａ１には、ＩＣカード１０の利用者の累積歩行高低量および登頂中の山名が表示される。また、ディスプレイ６０Ａ１には、ユーザーＰＣ７０からメインサーバ５０にアクセスして、その利用者の累積歩行高低量および登頂中の山名を表示させることができるようにするために、その利用者に特有の固有ＩＤも表示される。
【００３４】
図５は、各ターミナル２０Ａ１〜２０Ａ３、２０Ｂ１〜２０Ｂ３にターミナルを特定するＩＤとして割り当てられているＩＤの種類の説明図である。
【００３５】
図５に示すように、各ターミナル２０Ａ１〜２０Ａ３、２０Ｂ１〜２０Ｂ３には、ターミナルを特定するＩＤとして「ターミナルＩＤ」を付与してある。どのターミナルがどのＩＤを有しているかは、統括コンピュータが把握している。
【００３６】
図６は、統括コンピュータ３０Ａの概略構成を示すブロック図である。
【００３７】
図６に示すように、統括コンピュータ３０Ａは、ターミナル制御部３２Ａ、ディスプレイ制御部３４Ａ、送受信部３６Ａを備えている。
【００３８】
ターミナル制御部３２Ａは、ターミナルを特定するＩＤとして「ターミナルＩＤ」を記憶している。ターミナル制御部３２Ａは、ＩＣカードがかざされたときに読み取ったカードＩＤを受信し、同時に、そのカードＩＤを読み取ったターミナルのターミナルＩＤを把握する。受信したカードＩＤ、そのカードＩＤを読み取ったターミナルのターミナルＩＤは、送受信部３６Ａに送られる。
【００３９】
ディスプレイ制御部３４Ａは、送受信部３６Ａから入力した、利用者の累積歩行高低量、登頂中の山名および利用者の固有ＩＤを、ターミナル２０Ａ１の近くに設置されているディスプレイ６０Ａ１に表示させる（図１参照）。
【００４０】
送受信部３６Ａは、ターミナル制御部３２Ａが受信したカードＩＤ、そのカードＩＤを読み取ったターミナルのターミナルＩＤを、コンピュータネットワーク網４０を介してメインサーバ５０に送信する。また、メインサーバ５０から送信された、利用者の累積歩行高低量、登頂中の山名および利用者の固有ＩＤを、コンピュータネットワーク網４０を介して受信する。
【００４１】
図７は、メインサーバ５０の概略構成を示すブロック図である。
【００４２】
図７に示すように、メインサーバ５０は、演算/送受信制御部５２、階段ＤＢ５４、累積歩行高低量ＤＢ、山の高さＤＢを有している。
【００４３】
演算/送受信部５２は、コンピュータネットワーク網４０を介して統括コンピュータ２０Ａ１から送信されたターミナルＩＤに基づいて、階段ＤＢ５４、累積歩行高低量ＤＢ５６、山の高さＤＢ５８をアクセスする。階段ＤＢ５４、累積歩行高低量ＤＢ５６、山の高さＤＢ５８をアクセスすることによって、利用者の累積歩行高低量、登頂中の山名および利用者の固有ＩＤを取得する。取得した利用者の累積歩行高低量、登頂中の山名および利用者の固有ＩＤは、コンピュータネットワーク網４０を介して統括コンピュータ３０Ａに送信される。
【００４４】
図８は、階段ＤＢの具体的な構成を示す図である。
【００４５】
図８に示すように、階段ＤＢ５４は、ターミナルＩＤ、段数、高低差に関する情報が記憶されている。
【００４６】
ターミナルＩＤは、設置されているターミナルを特定するために付されているＩＤである。ターミナルＩＤは、ターミナルに個々に付されている特有のＩＤである。段数は、ターミナルが設置されている階段の段数を示す。高低差は、ターミナルが設置されている階段の高低差を示す。
【００４７】
たとえば新宿駅のターミナルＩＤがＦＦＦで示されるターミナルが設置されている場所の階段の段数は１００段でその高低差は３０ｍである。また、六本木駅のターミナルＩＤがＳＳＳで示されるターミナルが設置されている場所の階段の段数は１１０段でその高低差は３３ｍである。
【００４８】
図９は、累積歩行高低量ＤＢ５６の具体的な構成を示す図である。
【００４９】
図９に示すように、累積歩行高低量ＤＢ５６は、カードＩＤ、累積歩行高低量（ｍ）、山ＩＤ、固有ＩＤに関する情報が記憶されている。
【００５０】
カードＩＤは、前述のようにＩＣカード１０に記憶されているＩＤであって、間接的に利用者を特定するためのＩＤである。累積歩行高低量は、そのＩＣカード１０の利用者が現在までに何メートルの高低差を登ったかを更新記録できるエリアである。累積歩行高低量はメインサーバ５０の演算/送受信制御部５２によって読み込まれたり書き換えられたりされる。山ＩＤは、駅に設置されるディスプレイたとえば６０Ａ１に山名を表示するために利用される各山に付された固有のＩＤである。固有ＩＤは、ディスプレイ６０Ａ１に表示されるＩＣカード１０の利用者に固有のＩＤである。固有ＩＤは、ディスプレイ６０Ａ１に表示される。
【００５１】
図１０は、山の高さＤＢ５８の具体的な構成を示す図である。
【００５２】
図１０に示すように、山の高さＤＢ５８は、山ＩＤ、山名、標高（ｍ）に関する情報が記憶されている。
【００５３】
山ＩＤは、各山に付されているＩＤである。山名は、たとえば、高尾山、六甲山、アコンカグア、エベレストなど実際の山名を記録するエリアである。標高（ｍ）は、各山の標高を記録するエリアである。
【００５４】
以上が本実施形態に係る累積歩行高低量報知システムの各構成要素についての詳細な説明である。
【００５５】
次に、本実施形態に係る累積歩行高低量報知システムの詳細な動作を、図１１〜図１３の動作フローチャートを参照しながら詳細に説明する。
［累積歩行高低量報知システムの動作］
図１１から図１３は、本実施形態に係る累積歩行高低量報知システムの動作フローチャートである。この動作フローチャートでは、ＩＣカード１０の利用者が六本木駅に入って新宿駅を出るまでの動作について説明する。利用者が六本木駅に入るまではすべて階段かエスカレータを下ることになるので、利用者がＩＣカード１０をターミナル１２Ｂ１〜１２Ｂ３にタッチすることはない。
【００５６】
利用者が新宿駅に着いてから地上に出るまでに階段を登る。その際、利用者が新宿駅の階段を登るときに、その階段を登り始める所に設置されているターミナル２０Ａ１にＩＣカードをタッチする（Ｓ１)。
【００５７】
統括コンピュータ３０Ａに設けたターミナル制御部３２Ａは、ターミナル（たとえばターミナル２０Ａ１）でカードＩＤを読み込む。また、ターミナル制御部３２Ａは、カードＩＤを読み込んだターミナル２０Ａ１のターミナルＩＤを自己が所有する記憶装置から読み込む（Ｓ２）。
【００５８】
統括コンピュータ１０Ａの送受信部３６Ａは、読み込んだカードＩＤを、コンピュータネットワーク網（たとえばインターネット）４０経由でメインサーバ５０に送信する。たとえば、カードＩＤとして００１１２が送信される（Ｓ３）。
【００５９】
メインサーバ５０は、コンピュータネットワーク網４０経由で送られてきたカードＩＤ、に基づいて、３つのデータベース５４、５６、５８から合致した情報を取り出す。そして、ＩＤカード１０の利用者の累積歩行高低量（ｍ）を演算し、登頂中の山および固有ＩＤを検索する。
【００６０】
利用者の累積歩行高低量の演算、登頂中の山および固有ＩＤの検索は、図１２に示した動作フローチャート（図１１のＳ４のサブルーチンフローチャート）の手順に従って行なう。
【００６１】
メインサーバ５０の演算/送受信制御部５２は、統括コンピュータ１０Ａの送受信部３６Ａからコンピュータネットワーク網４０経由で送られてきた、たとえば、ターミナルＩＤＡＦＦに基づいて、新宿駅用の階段ＤＢに記憶してある情報を参照し、段数と高低差を取得する。たとえば上記例の場合、新宿駅用の階段ＤＢを見ると、ターミナルＩＤのＡＦＦと合致する階段の段数は７０段で、その階段の高低差は２１ｍであることがわかる。したがって、演算/送受信制御部５２は、段数７０および高低差２１ｍという情報を取得する。この段数７０および高低差２１ｍは、ＩＣカード１０をターミナル２０Ａ１にタッチした利用者がこれから歩いて登ろうとしている階段の段数と高さである（Ｓ４−１）。
【００６２】
次に、演算/送受信制御部５２は、コンピュータネットワーク網４０経由で送られてきたカードＩＤに基づいて、累積歩行高低量ＤＢに記憶してある情報を参照し、累積歩行高低量を取得する。たとえば上記例の場合、ターミナル２０Ａ１で読み込んだカードＩＤが００１１２であるので、演算/送受信制御部５２は累積歩行高低量として６００ｍを取得する（Ｓ４−２）。
【００６３】
演算/送受信制御部５２は、新宿駅用の階段ＤＢから取得した高低差と累積歩行高低量ＤＢから取得した累積歩行高低量を加算して、現在の累積歩行高低量を演算し、演算後の累積歩行高低量で累積歩行高低量ＤＢの累積歩行高低量のエリアの数値を更新する。たとえば上記例の場合、階段ＤＢから取得した階段の高低差が２１ｍであり、累積歩行高低量ＤＢから取得した累積歩行高低量が６００ｍであるので、累積歩行高低量ＤＢの累積歩行高低量のエリアには６２１ｍの数値が更新記憶される（Ｓ４−３）。
【００６４】
そして、演算/送受信制御部５２は、更新した累積歩行高低量ＤＢの累積歩行高低量を、山の高さＤＢに記憶されている標高と比較して、登頂中の山ＩＤを取得する。たとえば上記例の場合、更新記憶後の累積歩行高低量６２１ｍを山の高さＤＢに記憶されている標高と比較する。累積歩行高低量６２１ｍは高尾山の標高５９９ｍより大きく、六甲山９３１ｍの標高よりも小さいので、六甲山の山ＩＤＭＴ００２を取得する。
【００６５】
演算/送受信制御部５２は、山の高さＤＢから取得した山ＩＤで累積歩行高低量ＤＢの山ＩＤを更新記憶する。たとえば上記例の場合、累積歩行高低量ＤＢに記憶されている現在の山ＩＤＭＴ００２をＭＴ００２に書き換える。この場合、結果的には同一の山ＩＤとなる（Ｓ４−５）。
【００６６】
次に、演算/送受信制御部５２は、山の高さＤＢに記憶されている山ＩＤを参照して、累積歩行高低量ＤＢに更新記憶した山ＩＤに合致する山名を取得する。たとえば上記例の場合、更新記憶した山ＩＤがＭＴ００２であるので、山名として「六甲山」を取得する（Ｓ４−６）。
【００６７】
最後に、演算/送受信制御部５２は、コンピュータネットワーク網４０経由で送られてきたカードＩＤに基づいて、累積歩行高低量ＤＢに記憶してある利用者の固有ＩＤを取得する。たとえば上記例の場合、カードＩＤが００１１２であるので、Ｎ００２の固有ＩＤを得る。
【００６８】
以上の処理が終了すると、図１１のＳ４の処理が終了する。
【００６９】
メインサーバ５０の演算/送受信制御部５２は、以上の処理で演算した累積歩行高低量、検索した登頂中の山名、検索した利用者の固有ＩＤを、コンピュータネットワーク網４０を介して統括コンピュータ３０Ａに送信する（Ｓ５）。
【００７０】
統括コンピュータ３０Ａのディスプレイ制御部３４Ａは、受信した累積歩行高低量、登頂中の山名、固有ＩＤを、ターミナル２０Ａ１の近くに設置してある６０Ａ１に、図４に示したような態様で表示する。
【００７１】
ＩＣカード１０の利用者は、登ろうとする階段の下側に設けてあるターミナル２０Ａ１にＩＣカード１０をタッチするだけで、その階段を登った場合に、現在の累積歩行高低量が何メートルであるのか、山に見立てるとどの山に登頂中であるのか、また、自分の固有ＩＤがどのようなものであるかを、そのタッチとほぼ同時に知ることができる。
【００７２】
以上のような累積歩行高低量報知システムを駅の階段に設置することによって、登り階段を利用しようとする人が増加し、登り階段に併設されているエレベーターやエスカレータの利用率を減少させることができる。
【００７３】
このため、エレベーターやエスカレータの使用電気量を減らすことができ、これから日本が世界をリードしようとしている二酸化炭素の排出制限に寄与することがでる。また、階段を積極的に利用しようとする人が増加することから、医療費の削減にも結びつくようになる。
［実施形態２］
実施形態１の累積歩行高低量報知システムは、階段を登った累積の高さが何ｍで、山に見立てるとどの山を登頂中であるのかがわかるようにして、登り階段の利用率を向上させるようにしている。
【００７４】
実施形態２の累積歩行高低量報知システムは、階段を下った累積の低さが何ｍで、海の海溝に見立てるとどの海溝を潜っている最中であるのかがわかるようにして、下り階段の利用率を向上させるようにしている。
【００７５】
本実施形態の累積歩行高低量報知システムは、実施形態１の累積歩行高低量報知システムの構成および動作と基本的には同一であるので、それらの詳細な説明は省略する。
【００７６】
実施形態１と異なっているのは、図３Ａ〜図３Ｄに示したＩＣカードに記載されるデザインと表示である。本実施形態では、山名に代えて海溝名が表示され、その海溝の深さ（ｍ）が表示される。
【００７７】
また、山の高さＤＢが海溝の深さＤＢに代えられ、山の高さＤＢと累積歩行高低量ＤＢの山ＩＤが海溝ＩＤに代えられる。また、山の高さＤＢの山名が海溝名に、標高が深さにそれぞれ代えられる。
【００７８】
以上のように、各ＤＢの名前およびＤＢの中身のデータを変更すれば、ＩＣカード１０の利用者が下り階段でも累積歩行高低量報知システムを利用できるようになる。ただ、この場合は、登り階段用のターミナルと下り階段用のターミナルを分けて設置する必要がある。
【００７９】
以上のような累積歩行高低量報知システムを駅の階段に設置することによって、下り階段を利用しようとする人が増加し、下り階段に併設されているエレベーターやエスカレータの利用率を減少させることができる。
【００８０】
このため、エレベーターやエスカレータの使用電気量を減らすことができ、これから日本が世界をリードしようとしている二酸化炭素の排出制限に寄与することがでる。また、階段を積極的に利用しようとする人が増加することから、医療費の削減にも結びつくようになる。
［実施形態３］
実施形態１および実施形態２では、ＩＣカード１０の利用者が自分の累積歩行高低量および登頂中の山名を駅構内で確認できるようにしたが、実施形態３では、利用者がその利用者の固有ＩＤをユーザーＰＣから入力することによって、ユーザーＰＣのディスプレイに自分の累積歩行高低量および登頂中の山名を確認できるようにしている。
【００８１】
本実施形態の累積歩行高低量報知システムは、実施形態１の累積歩行高低量報知システムの構成および動作と基本的には同一である。ただ、ユーザーＰＣ７０を用いてコンピュータネットワーク網４０を介してメインサーバ５０にアクセスできるようにしている。
【００８２】
まず、ＩＣカード１０の利用者は、駅構内のディスプレイに表示される固有ＩＤをユーザーＰＣ７０のキーボードから入力する。たとえば、固有ＩＤとしてＮ００２を入力する（Ｓ１１）。
【００８３】
メインサーバ５０の演算/送受信制御部５２は、ユーザーＰＣ７０からコンピュータネットワーク網４０を介して送信されてきた固有ＩＤを入力し、累積歩行高低量ＤＢからその固有ＩＤの累積歩行高低量と山ＩＤとを取得する。上記の例の場合、累積歩行高低量として６００ｍを、山ＩＤとしてＭＴ００２を取得する（Ｓ１２）。
【００８４】
次に、演算/送受信制御部５２は、山の高さＤＢに記憶されている山ＩＤを参照して、累積歩行高低量ＤＢの山ＩＤに合致する山名を取得する。たとえば上記例の場合、記憶されている山ＩＤがＭＴ００２であるので、山名として「六甲山」を取得する（Ｓ１３）。
【００８５】
演算/送受信制御部５２は、以上の処理で演算した累積歩行高低量、検索した登頂中の山名を、コンピュータネットワーク網４０を介してユーザーＰＣ７０に送信する（Ｓ１４）。
【００８６】
送信された累積歩行高低量、登頂中の山名はユーザーＰＣのディスプレイに表示される（Ｓ１５）。
【００８７】
以上のように、本実施形態では、ＩＣカード１０の利用者の家、外出先からでも、累積歩行高低量、登頂中の山名を容易に確認することができる。
【００８８】
以上、本発明に係る累積歩行高低量報知システムの使用態様を実施形態１から実施形態３に分けて説明した。以上の実施形態では、駅の階段の上り下りした高さをＩＣカード１０の利用者が簡単に見られるようにして、利用者が階段を積極的に利用するように仕向け、階段の利用率の向上や省エネの向上、二酸化炭素排出量の抑制、利用者の健康面で貢献できるように配慮した。
【００８９】
本発明に係る累積歩行高低量報知システムは、さらに、登山路や長い坂道に設置することによって、歩行意欲の増進に貢献させることも可能である。たとえば、富士山の山頂に累積歩行高低量報知システムを設置して、富士山の登頂を記録すると共に、歩行した高低量を記録することも可能である。累積歩行高低量報知システムを種々の山々に設置することで、生涯にわたる登山記録、すなわち登山した山名、登山した累積歩行高低量（登りと下り）を自動的に記憶させておくことができ、登山の意欲を後押しすることで、健康増進のツールとしても役立たせることができる。
【００９０】
さらに、本発明に係る累積歩行高低量報知システムは、現在普及しているＩＣカードを利用することによって実現することができるので、初期費用が抑えられるばかりではなく、利用者も改札を通過する感覚で気軽に参加することができる。
【００９１】
また、どの山まで登頂が完了したかによって、差別化したサービスを提供することによって、都営大江戸線などの地下鉄やＪＲの利用率の向上につなげることも可能である。
【符号の説明】
【００９２】
１０  ＩＣカード、
１２  記憶部、
２０Ａ１〜２０Ａ３  ターミナル、
２０Ｂ１〜２０Ｂ３  ターミナル、
３０Ａ、３０Ｂ  統括コンピュータ、
３２Ａ  ターミナル制御部、
３４Ａ  ディスプレイ制御部、
３６Ａ  送受信部、
４０  コンピュータネットワーク網、
５０  メインサーバ、
５２  演算/送受信制御部、
５４  階段ＤＢ、
５６  累積歩行高低量ＤＢ、
５８  山の高さＤＢ、
６０Ａ１〜６０Ａ３  ディスプレイ、
６０Ｂ１〜６０Ｂ３  ディスプレイ、
７０  ユーザーＰＣ。
【図１】
2011081435.tif 000003
【図２】
2011081435.tif 000004
【図５】
2011081435.tif 000005
【図６】
2011081435.tif 000006
【図７】
2011081435.tif 000007
【図８】
2011081435.tif 000008
【図９】
2011081435.tif 000009
【図１０】
2011081435.tif 000010
【図１１】
2011081435.tif 000011
【図１２】
2011081435.tif 000012
【図１３】
2011081435.tif 000013
【図３Ａ】
2011081435.tif 000014
【図３Ｂ】
2011081435.tif 000015
【図３Ｃ】
2011081435.tif 000016
【図３Ｄ】
2011081435.tif 000017
【図４】
2011081435.tif 000018